(57)【要約】      （修正有）【課題】チーム全体の用具を一括収納でき、試合中の用具管理はもとよりチームが移動する際に、一括収納できるケースを提供する。【解決手段】脚１３とキャスター１４を有し、底板１の周辺にバット１７を突き込む導入パイプ４を均等間隔で配置し、直立する導入パイプを底板と中板１１で挟む。中板の周囲にはヘルメット２６第２のシャッターのフック２０を設け、底板と中板には、均等な間隔で導入パイプとの嵌合溝をそれぞれに刻み、導入パイプが横ズレしない構造で、天板１２にはバットの握り部分が当たるように凹型の窪みを設ける。天板、中板、底板中央に、ボール貫通孔５、その周囲に４本の長尺の組み立てボルト８を設けて収納ケース全体を一体化。底部にはボール排出エルボー６を設け、ボールを１個ずつ取り出せる出口シャッター７を設ける。【選択図】図１
0003221528.tif 000002
【実用新案登録請求の範囲】
【請求項１】
収納ケースの底部に移動用のキャスター、脚、ボール排出エルボと底板を有し、
前記底板の中心部分にボール通過孔を開け、
前記底板のボール通過孔を通ったボールを受け取ることができようにボール排出エルボを設け、
前記底板のボール通過孔の周囲にバットを収納できる複数のバット収納筒体を配置し、
バット収納筒体を挟むように底板の上方に中板を設け、
前記中板は中央部にボール通過孔を開け、周囲にはヘルメットを引っ掛ける複数個のフックを設け、
前記中板の上方にバットを受ける凹みと中央部にボール通過孔を開けた天板を設け、
底板、中板、天板を連結する３本以上の連結棒を前記ボール通過孔の周囲に配置した、
ことを特徴とするバット、ボール及びヘルメットを一括して保管する球技用道具収納ケース。
【請求項２】
ボール排出エルボのボール取り出し口に設けた出口シャッターは、
ボールを1個づつ取り出せるようにボール1個分離れた位置に回転軸に対して取付け角度を変えた第２のシャッターと連結し、
出口シャッターが開の位置にあるときは第２のシャッターが出口から２個目のボールを止めるように、
出口シャッターと第２のシャッターが連動するように構成したことを特徴とする請求項１記載の球技用道具収納ケース。
【考案の詳細な説明】
【技術分野】
【０００１】
本考案は、ベースボールおよびソフトボールなどの競技において、チームが使用するバット、ボール及びヘルメットを一括して収納できる収納ケースに関するものである。
【背景技術】
【０００２】
通常、ベースボールおよびソフトボールの競技において、チームとしてバット、ボール及びヘルメットは相当数の用具を必要とする。なかでも、試合中および移動と管理にあたっては多くのボール、バット及びヘルメットが散乱し、整然とした練習や試合については格段の注意を要するものである。しかも、試合中でもボール、バット及びヘルメットはときにより所在不明となって練習や試合にあたって不便をきたすことがある。一方では選手自身が散乱した用具につまずいて転倒し負傷するなどの不祥事も発生することがある。
また、試合をするためのチームの移動にあたっては、これらの用具を所定のケースで一括して運搬すれば選手自身およびチームにおいて纏まった身辺整理ができる。
従って、これらはチーム毎に複数のボール、バット及びヘルメットを収納ケースなどで一括管理することが望ましく、練習や試合において士気を高め負傷などのアクシデントの予防も大切である。特に少年チームにおいては、これらの用具を収納ケースを用いて適切に整理整頓することは道徳教育的な効果を生むものである。
【先行技術文献】
【特許文献】
【０００３】
【特許文献１】実用新案登録第３１９８４９９号
【特許文献２】特開Ｓ５５−１６０５６５
【特許文献３】特許第３７８７１５１号
【特許文献４】実開Ｓ６０−５２８７３
【考案の概要】
【考案が解決しようとする課題】
【０００４】
上記に鑑み、本考案は考案者が過去に出願した特許文献１記載の実用新案に、ヘルメットの収納も可能にするとともに、ボールを１個づつの取り出す機能を追加し、より利便性を向上させた球技用道具収納ケースに関するものである。
【課題を解決するための手段】
【０００５】
本考案は、課題を解決するため比較的に軽量で強靭な金属、プラスチックや木材等で作製し、ボール、バット及びヘルメットの適切な管理ができる一括収納ケースを提供する。本考案の収納ケースは、収納したボール、バットやヘルメット等の取り出し自由な形態を基本とし、しかもコンパクトに纏まるように考案した。使用時の本体の大きさは、バット、ボール及びヘルメットを収納した状態で乗用車のトランクに搭載できるようにした。移動時に大きさを更に縮小したい場合は、ヘルメットは引っ掛け式としているので、容易に取り外すことができ大きさを縮小できる。また、必要時には各部品を整え組み立てと分解が容易にできる工夫も施し、分解してコンパクトに保管ができる構造としている。
【０００６】
本考案のバット、ボール及びヘルメットの一括収納ケースは、チームを編成する選手の数を勘案して、バットは８本、ヘルメットは８個、ボールは練習に足る数量を収納できることとした。ただし、製作にあたっては、形状を少し変更することで収納量を増やすことも可能である。また、本考案の収納ケースは底部の脚とキャスターで全体を支える機能を有し、ベンチなどで直立または傾斜させときに、安定して使用できるように一部を脚としている。
さらに、本考案の収納ケースは、ボール、バット及びヘルメットを収納した状態で移動を容易にするため、底部にキャスターを備えており、天板の取っ手をもって運搬できる。
【考案の効果】
【０００７】
本考案は、野球およびソフトボール競技などにおいて、チーム全体の用具を一括し収納できるので用具の管理に著しい利便性を生じることになる。
また、本考案のバット、ボール及びヘルメットの一括収納ケースは、試合中の用具の管理はもとよりチームが移動する際に非常に便利であり、一方では暗黙のうちに選手に競技用具の整理整頓の習慣をもたらすものとなる。
本考案のバット、ボール及びヘルメットの一括収納ケースは、試合や練習中に無くした用具の点検が容易となり、他のチームから混じってきた用具などの弁別や球場内での置き忘れによる紛失なども一目瞭然となる。
本考案の収納ケースは、組み立て分解が容易であるから、部材ごとに分解してすべての部品を１個の箱に収納することができ、非使用時の保管が簡潔である。
【図面の簡単な説明】
【０００８】
【図１】収納ケース全体の形状を表わす斜視図
【図２】底板の上面図
【図３】中板の裏面図
【図４】天板の上面図
【図５】出口シャッターを説明する図
【考案を実施するための形態】
【０００９】
本考案の収納用具は、脚とキャスターが付いた架台に取付けた底板にバットを突き込む導入パイプを均等な間隔で配置し、直立する導入パイプを底板と中板で挟む格好で基礎を組み立てる。この底板と中板には、均等な間隔で導入パイプとの嵌合溝がそれぞれに刻まれていて、導入パイプが横ズレしない構造としている。また、中板の周囲にはヘルメットを吊るすフックが取り付けられている。
さらに、天板にはバットの握り部分が当たるように凹型の窪み部分を設ける。この場合、ケースごと移動する際にバットが脱落しないように簡単なストッパーをそれぞれの窪み部分の口前に取り付けることも移動時用として考えられる。
【００１０】
一方、天板、中板、底板の中央には丸いボール通過孔が設けられており、その周囲には複数本の組み立てボルトが貫通できる小孔を開け、それぞれに長尺の組み立てボルトを貫通させ両端のナットを締めて収納ケース全体を一体化している。複数本のボルトの配置は、その外側にシールドパイプを装着することを考慮し、複数本のボルトで囲まれた空間はボールが容易に通過し、隣接するボルト間はボールが外に飛び出さない寸法としている。
この場合、本考案の組み立ての際は、底板、中板、天板をほぼ等間隔に定着させて一体化するが、復数本の組み立て用ボルトはその外周にそれぞれシールドパイプを装着し、底板と天板間を強力にナットで締め付け、収納ケースの各部材を定着させて成形する。
また、底板の中央のボール通過孔には、シールドパイプに導かれて落下したボールを横方向に転げ出させる役目をするためのエルボを取り付け、操作自在なストッパーを添設している。
【実施例】
【００１１】
以下、本考案による実施例を図面に基づいて説明する。
本考案のバット、ボールとヘルメットの収納ケースは、規模を大きくして収納するバット、ボールとヘルメットの数を増やすことができるが、本例ではバットとボールの収納できる数量を、ベースボール用ではバット８本、ボール１２〜３個とヘルメット８個、ソフトボール用においてはバット８本、ボール９個とヘルメット８個の収容能力の収納ケースについて説明する。
【００１２】
本考案のバット１７、ボール１８とヘルメット２６の球技用道具収納ケース（以下収納ケース）１００は、図１に示すような形状と部位で構成し、以下、組み立て方法を含めて説明する。
本考案の収納ケース１００の底板１の上面の形状は図２に示すものであり、ボール通過孔５の外周に添って８個のバット導入パイプを嵌合するため円形の嵌合溝２が刻まれている。
底板１の中央部にはボール通過孔５を設け、シールドパイプ９に沿って落下したボール１８をボール排出エルボ６に導く。ボール１８はボール排出エルボ６により横方向に転げ出る状態になるが、エルボ６の出口に設けられた出口シャッター７により転げ出るのを止められている。
底板１の裏面側には、収納ケース１００の架台３を設けてあり直立で使用する際の架台となり、それぞれ２個の脚１３とキャスター１４を添設する。
【００１３】
本考案の収納ケース１００は、８本のバット導入パイプ４の両端を底板１の嵌合溝２と中板１の嵌合溝２６にそれぞれ嵌合して組み立てる。このバット導入パイプ４の断面は、円形でありバット１７が十分に余裕をもって出し入れできる直径とする。
図２における底板１の中央の円形のボール通過孔５は、収納しているボール１８を横方向に排出する図１に示すボール排出エルボ６を、収納しているボール１８が自然に出口に移動するように、出口側が低くなるように傾斜させて下方から取り付けてある。この排出エルボ６の出口には出口シャッター７を設け、任意に動かせる出口シャッター７を操作することによってボール排出エルボ６やシールドパイプ９で囲まれた空間に収納されているボール１８下降させて排出できる。
出口シャッター７は、回転軸２４により約ボール１個分離れた位置の第２のシャッター２１と連結されており、出口シャッター７が水平位置にあるとき、第２のシャッター２１はボール排出エルボーの側面にぴったりと沿う円弧形状に形成されており、ボール１８を取り出そうと出口シャッター７を上方に持ち上げるとボール排出エルボ６の出口側の１個のボール１８が落下し、同時に第２のシャターが持ち上がり出口側から２個目のボール１８が転げ出すのを阻止する。このようにして、ボール１８を１個取り出した後、出口シャッター７を元の位置に下すと、第２のシャッターも同時にボール排出エルボーの側面に接するまで降下し、ボール１８は順次ボール排出エルボ６の出口側まで移動する。
【００１４】
ボール通過孔５を取り囲む４個の孔１０には４本の組み立て用ボルト８を貫通させる。
シールドパイプ９は、４本の組み立てボルト８の外周を被覆し、天板１１から投入し収納するボール１８を導き、天板１１と中板１２および底板１の間隔を保持するスペーサとなり、組み立て用ボルト８を締め付けて収納ケースを形成したときに、これらを十分強固に固着できる。
つぎに、中板１２は図３に示す如くバット挿入孔１９がある以外は図２の底板１とほぼ同形状であり、嵌合溝２６と嵌合溝２はバット導入パイプ４の両端に向き合わせて導入パイプ４を挟着する。
【００１５】
図４は、収納ケース１００の天板１２の形状であり、シールドパイプ９を介して収納ケース１００の最上部となる。中心部にボール通過孔５を開け、ボールの通過孔５を取り巻くように組み立て用ボルト８を貫通させるボルト貫通孔１０を４カ所設けてある。さらに、収納したバット１７の握り部分を保持できる凹型の窪み部分１５を８カ所設ける。従って前記のバット導入パイプ４に挿入したバット１７の握り部分を受け止めて保持できる形状とする。
【００１６】
また、天板１１の中央には、前記の中板１１と底板１と同じくボール通過孔５を開口し、収納ケース１００の上部から収納するボール１８を連続して投入できる。
収納ケース１００のボール通過孔５に投入したボール１８は、４本のシールドパイプに導かれ底板１に向かって落下し、底部に設けたボール排出エルボー６の出口シャッター７で保持される。
【００１７】
収納ケース１００の天板１２には、収納ケース１００の移動時に把握できる取っ手１５を設け、収納ケース１００を移動する際には底板１を取り付けた架台３に付属するキャスター１４が利用できるように、取っ手１５を持って収納ケース１００を片側に傾斜させて移動できる。
収納ケース１００は底板１に連なる各部材を一体化するように４本の長尺の組み立て用ボルト８を天板１１、中板１２、底板１に貫通させて固着されている。
【００１８】
本考案のボール１８、バット１７とヘルメット２６の一括収納ケース１００は、ベースボールやソフトボールの競技において、チームを纏めて用具を管理するうえでも、また、チームの遠征試合においても、全体の移動手段としてチームの道具を纏めることが好ましく、必要不可欠なものである。
本考案のボール１８、バット１７とヘルメット２６の一括収納ケース１００は、一般的な素材を用いて製作が容易であり生産性に優れており、利便性を有し、健全な球技において使用するバット１７、ボール１８とヘルメット２６の一括収納ケース１００は非常に有益である。
【符号の説明】
【００１９】
１  底板
２  嵌合溝
３  底板に取り付けた架台
４  バット導入パイプ
５  ボール通過孔
６  ボール排出エルボ
７  出口シャッター
８  組み立て用ボルト
９  シールドパイプ
１０  ボルト貫通孔
１１  中板                  
１２  天板
１３  脚                            
１４  キャスター
１５  凹型の切り込み
１６  取っ手
１７  バット
１８  ボール
１９  バット挿入孔
２０  フック
２１  第２のシャッター
２２  回転軸ガイド
２３  第２のシャッター用貫通孔
２４  回転軸
２５  嵌合溝
２６  ヘルメット
１００  収納ケース
【図１】
0003221528.tif 000003
【図２】
0003221528.tif 000004
【図３】
0003221528.tif 000005
【図４】
0003221528.tif 000006
【図５】
0003221528.tif 000007